(57)【要約】【課題】  本発明は、凹部における指先の係止作用を十分にすることを課題とするものであり、より安定して掴持姿勢を保持できる掴持性の優れた合成樹脂製角形壜体を提供することを目的とする。【解決手段】  矩形筒状の胴部の略中央高さ位置に、周溝状のウエスト部を形成し、相対向して位置する一対の胴部側壁のウエスト部から下方に向けての所定領域に指掛けのための凹部を形成した合成樹脂製角形壜体において、ウエスト部を、ウエスト部底壁と、このウエスト部底壁の上端および下端から外方に拡がりそれぞれ上、下の側壁部分に連結するテーパ壁状のウエスト部上側壁と、ウエスト部下側壁とで形成し、凹部が、凹部底壁と、この底壁の上端および下端から外方に拡がりそれぞれ上、下の側壁部分に連結するテーパ壁状の凹部上側壁と、凹部下側壁を有し、凹部底壁をウエスト部底壁より底深とし、凹部上側壁の傾斜をウエスト部上側壁の傾斜より急傾斜とする。【選択図】              図１
2007204061.tif 000002
【特許請求の範囲】
【請求項１】
矩形筒状の胴部(4)の略中央高さ位置に、周溝状のウエスト部(6)を形成し、相対向して位置する一対の胴部(4)側壁(11)の、前記ウエスト部(6)から下方に向けての所定領域に指掛けのための凹部(13)を形成した合成樹脂製角形壜体であって、前記ウエスト部(6)をウエスト部底壁(6b)と、該ウエスト部底壁(6b)の上端および下端から外方に拡がりそれぞれ上、下の側壁(11)部分に連結するテーパ壁状のウエスト部上側壁(6a)と、ウエスト部下側壁(6c)とで形成し、前記凹部(13)が、凹部底壁(13b)と、該凹部底壁(13b)の上端および下端から外方に拡がりそれぞれ上、下の側壁(11)部分に連結するテーパ壁状の凹部上側壁(13a)と凹部下側壁(13c)を有し、前記凹部底壁(13b)を前記ウエスト部底壁(6b)より底深とし、凹部上側壁(13a)の傾斜を前記ウエスト部上側壁(6a)の傾斜より急傾斜とした合成樹脂製角形壜体。
【請求項２】
凹部底壁(13b)の深さ(D2)をウエスト部底壁(6b)の深さ(D1)の２倍以上、凹部上側壁(13a)の傾斜角度(TH2a)をウエスト部上側壁(6a)の傾斜角度(TH1a)の２倍以上とした請求項１記載の合成樹脂製角形壜体。
【請求項３】
凹部(13)の少なくとも左右中央部近傍で、凹部底壁(13b)の幅(W2)をウエスト部底壁(6b)の幅(W1)の２倍以上とした請求項１または２記載の合成樹脂製角形壜体。
【請求項４】
凹部上側壁(13a)の傾斜角度(TH2a)を５０°以上とした請求項１、２または３記載の合成樹脂製角形壜体。
【請求項５】
凹部下側壁(13c)に、該側壁(13c)の一部を壜体内部方向に凹ませて、横溝状の補強リブ(14)を形成した請求項１、２、３または４記載の合成樹脂製角形壜体。
【請求項６】
胴部(4)が、長方形状の長辺側を形成する一対の長辺側壁(11L)と、長方形状の短辺側を形成する一対の短辺側壁(11S)と、隣接する前記長辺側壁(11L)と短辺側壁(11S)を角取り状に連結する４ケのコーナー側壁(12)で形成される略長方筒状とし、凹部(13)を長辺側壁(11L)部分に形成した請求項１、２、３、４または５記載の合成樹脂製角形壜体。
【発明の詳細な説明】
【技術分野】
【０００１】
本発明は胴部に指掛けのための凹部を形成した合成樹脂製角形壜体に関する。
【背景技術】
【０００２】
従来より、ポリエチレンテレフタレート（以下ＰＥＴと記す。）樹脂製等の合成樹脂製壜体は、各種飲料用、食品用等の容器として広く利用されているが、容量が２L程度以上の大型になると、手で壜体を確実に掴持するため掴持部分が必要となる。
掴持部分の例として、特許文献１には、胴部の中央高さ位置に形成された周溝状のウエスト部近傍に一対の凹部を形成した角形壜体についての記載がある。
【特許文献１】特許公報第２８３９０１２号
【発明の開示】
【発明が解決しようとする課題】
【０００３】
しかしながら、特許文献１の実施例に示される凹部では、特に凹部の上端部を形成するテーパ壁状の側壁を、ウエスト部の側壁の形状に合わせて形成しているために、指先に係る係止作用が不十分で、安定して掴持姿勢を維持できない等の問題があることが判った。
【０００４】
そこで本発明は、特に凹部における、指先の係止作用を含む指掛け機能を十分に発揮せしめることを課題とするものであり、掴持性の優れた合成樹脂製角形壜体を提供することを目的とする。
【課題を解決するための手段】
【０００５】
上記技術的課題を解決する請求項１記載の発明の手段は、
矩形筒状の胴部の略中央高さ位置に、周溝状のウエスト部を形成し、相対向して位置する一対の胴部側壁のウエスト部から下方に向けての所定領域に指掛けのための凹部を形成した合成樹脂製角形壜体において、
ウエスト部を、ウエスト部底壁と、このウエスト部底壁の上端および下端から外方に拡がりそれぞれ上、下の側壁部分に連結するテーパ壁状のウエスト部上側壁と、ウエスト部下側壁とで形成すること、
凹部が、凹部底壁と、この底壁の上端および下端から外方に拡がりそれぞれ上、下の側壁部分に連結するテーパ壁状の凹部上側壁と、凹部下側壁有すること、
凹部底壁がウエスト部底壁より底深とし、凹部上側壁の傾斜をウエスト部上側壁の傾斜より急傾斜とすること、
にある。
【０００６】
本発明の角形壜体のような指掛けのための凹部を有する角形壜体では、通常、一方の凹部に、第１指の指先を、その側部をウエスト部上側壁に係止させた状態で掛けて、他方の凹部に、他の指先を、その側部をウエスト部上側壁に係止させた状態で掛けると共に、第１指の指先から他の指の指先に至る掌全体で胴部を掴んで壜体を片手で持ち上げて運んだり、持ち上げた状態で壜体を傾けて口筒部から内容液を注出する。
【０００７】
しかしながら、周溝状のウエスト部は角形壜体全体の変形、あるいは減圧吸収パネルの変形を一定の範囲内に規制、抑制する機能を有するものであり、ウエスト部底壁と、ウエスト部上側壁、ウエスト部下側壁で形成される溝の底幅、底深さ、そしてウエスト部上、下側壁の傾斜角度の範囲は自ずと限定されたものとなる。
【０００８】
そこで、請求項１記載の上記構成により、凹部底壁がウエスト部底壁より底深とし、凹部上側壁の傾斜をウエスト部上側壁の傾斜より急傾斜とすることにより、上記ウエスト部の形状に制限されることなく、凹部の形状を指先の係止作用を含む掴持性に優れた指掛け部分とすることができる。
【０００９】
すなわち、凹部底壁を底深とすると共に、凹部上側壁をウエスト部上側壁より急傾斜とすることにより、指先に係る係止機能が十分に発揮されるようになる。
なお、さらに凹部下側壁の傾斜角度をウエスト部下側壁の傾斜角度より大きくすることにより、指先を上下から十分に係止することができ、倒立姿勢に近い姿勢でも壜体を安定して掴持することが可能となる。
【００１０】
請求項２記載の発明の手段は、請求項１記載の発明において、凹部底壁の深さをウエスト部底壁の深さの２倍以上、凹部上側壁の傾斜角度をウエスト部上側壁の傾斜角度の２倍以上とすること、にある。
【００１１】
凹部の形状をウエスト部の溝状の形状に対してどの程度大きくするか、その左右幅をどの程度の範囲とするかは、壜体の大きさ、外観、掴持する指の大きさ、ブロー成形性等を考慮して決めることのできる設計事項であるが、請求項２記載の上記構成により、凹部底壁の深さをウエスト部底壁の深さの２倍以上、凹部上側壁の傾斜角度をウエスト部上側壁の傾斜角度の２倍以上とすることにより、掴持する指先全体を凹部に深く嵌入させることが可能となる。
【００１２】
請求項３記載の発明の手段は、請求項１または２記載の発明において、凹部の少なくとも左右中央部近傍で凹部底壁の幅をウエスト部底壁の幅の２倍以上とすること、にある。
【００１３】
凹部底壁の幅、そして左右方向の長さをどの程度にするかは、壜体の大きさ、外観、掴持する指の大きさ等を考慮して決めることのできる設計事項であるが、請求項３記載の上記構成により、凹部の少なくとも左右中央部近傍において凹部底壁の幅をウエスト部底壁の幅の２倍以上とすることにより、掴持する指先全体を凹部に、より十分、深く嵌入させることが可能となる。
【００１４】
請求項４記載の発明の手段は、請求項１、２または３記載の発明において、凹部上側壁の傾斜角度を５０°以上とすること、にある。
【００１５】
請求項４記載の上記構成により、凹部上側壁の傾斜角度を５０°以上とすることにより、指先に対する係止機能を十分に発揮させることができる。
【００１６】
請求項５記載の発明の手段は、請求項１、２、３または４記載の発明において、凹部下側壁に、この側壁の一部を壜体内部方向に凹ませて、横溝状の補強リブを形成すること、にある。
【００１７】
請求項５記載の上記構成により、凹部を指先で掴持した際等、何らかの力の作用で凹部、あるいは凹部の周辺部分が変形しても、横溝状の補強リブによる変形に対する復元機能が十分発揮され、壁面に折れ曲がり変形等が残留することなく元の形状に完全に復元させることができる。
また凹部における、掴持した際の凹み状の変形、内部が加圧状態になった際の膨出状の変形、落下衝撃時のバックリング現象等を効果的に抑制することができる。
【００１８】
請求項６記載の発明の手段は、請求項１、２、３、４または５記載の発明において、胴部が、長方形状の長辺側を形成する一対の長辺側壁と、短辺側を形成する一対の短辺側壁と、隣接する長辺側壁と短辺側壁を角取り状に連結する４ケのコーナー側壁で形成される略長方筒状とし、凹部を長辺側壁部分に形成すること、にある。
【００１９】
請求項６記載の上記構成の角形壜体は大型の壜体でよく使用されるものであるが、一対の凹部を長辺側壁部分に形成することにより掴持幅を小さくすることができ、またコーナー側壁を利用して、背壁部となる短辺側壁部分と共にグリップ部を構成することにより、指の根元をこのコーナー側壁に当てるようにして、より確実に壜体の胴部を片手で掴持することができる。
【発明の効果】
【００２０】
本発明は、上記した構成となっているので、以下に示す効果を奏する。
請求項１記載の発明にあっては、特に凹部底壁を底深とすると共に、凹部上側壁をウエスト部上側壁より急傾斜とすることにより、指先に係る係止機能が十分に発揮されるようになり、またウエスト部の形状に制限されることなく、凹部の形状を十分大きくして掴持性に優れた指掛け部分とすることができる。
【００２１】
請求項２記載の発明にあっては、凹部底壁の深さ、そして凹部上側壁の傾斜角度を、それぞれウエスト部に対して２倍以上とすることにより、掴持する指先全体を凹部に、深く嵌入させることができる。
【００２２】
請求項３記載の発明にあっては、さらに凹部の少なくとも左右中央部近傍で凹部底壁の幅をウエスト部底壁の幅の２倍以上とすることにより、掴持する指先全体を凹部に、より十分に、深く嵌入させることができる。
【００２３】
請求項４記載の発明にあっては、凹部上側壁の傾斜角度を５０°以上とすることにより、指先に対する係止機能を十分に発揮させることができる。
【００２４】
請求項５記載の発明にあっては、凹部を指先で掴持した際等、何らかの力の作用で凹部、あるいは凹部の周辺部分が変形しても、横溝状の補強リブによる変形に対する復元機能が十分発揮され、壁面に折れ曲がり変形等が残留することなく元の形状に完全に復元させることができる。
【００２５】
請求項６記載の発明にあっては、一対の凹部を長辺側壁部分に形成することにより掴持幅を小さくすることができ、またコーナー側壁を利用してグリップ部を構成することにより、指の根元をこのコーナー側壁に当てるようにして、より確実に壜体の胴部を片手で掴持することができる。
【発明を実施するための最良の形態】
【００２６】
以下本発明の実施の形態を図面を参照して説明する。
図１〜図４は本発明の合成樹脂製角形壜体の一実施例を示すものである。図１と図２は正面図と側面図、図３（ａ）は図１中のＡ−Ａ線に沿って示した平断面図、図３（ｂ）は図１中のＢ−Ｂ線に沿って示した平断面図、そして図４は図１中のＣ−Ｃ線に沿って示した拡大縦断面図である。
【００２７】
この壜体１はＰＥＴ樹脂製の二軸延伸ブロー成形品であり、口筒部２、肩部３、胴部４、底部５を有する通称容量が２Ｌの角型壜体である。胴部４は４ケの側壁１１と、隣接する側壁１１を角取り状に連結する４ケのコーナー側壁１２で形成されており、図３（ａ）に示すようにその平断面形状は長方形状である。
ここで、側壁１１において長方形の長辺を形成するものを長辺側壁１１Ｌ、短辺を形成するものを短辺側壁１１Ｓとする。
【００２８】
また、胴部４の略中央高さ位置には壜体１の剛性を高くするために、周溝状にウエスト部６が形成されている。
ここで、１ケの側壁１１はこのウエスト部６により上下に分割されるが、側壁１１の上側部分を上側壁１１ａ、下側部分を下側壁１１ｃとする。また、長辺を形成する長辺側壁１１Ｌの上側部分を長辺上側壁１１Ｌａ、下側部分を長辺下側壁１１Ｌｃとし、さらに短辺を形成する短辺側壁１１Ｓの上側部分を短辺上側壁１１Ｓａ、下側部分を短辺下側壁１１Ｓｃとする。
【００２９】
また、中心軸に対して相対向して配設される一対の長辺側壁１１Ｌの左右中央位置に、ウエスト部６から長辺下側壁１１Ｌｃの上端部にかけての領域に指掛けのための凹部１３が形成されている。
【００３０】
また、各側壁１１の上下に減圧吸収パネル１７が形成されており、また各側壁１１の面剛性を補強するための横リブ１８が多数形成されている。
【００３１】
次に、主として図３（ｂ）、図４を参照しながらウエスト部６の形状、および凹部１３の形状を詳細に説明する。
図４中の２点鎖線で示される縦断面形状から判るように、ウエスト部６は平坦なウエスト部底壁６ｂと、この底壁６ｂの上端と長辺上側壁１１Ｌａの下端、そして底壁６ｂの下端と長辺下側壁１１Ｌｃの上端をそれぞれ連結する、テーパ壁状のウエスト部上側壁６ａと、ウエスト部下側壁６ｃとから形成されている。
【００３２】
本実施例においてウエスト部底壁６ｂの底幅Ｗ１、底深さＤ１、ウエスト部上側壁６ａの傾斜角度ＴＨ１ａ、ウエスト部下側壁６ｃの傾斜角度ＴＨ１ｃは下記のようである。（各寸法、角度の測定範囲は図４参照）
Ｗ１：７ｍｍ、Ｄ１：２．５ｍｍ、ＴＨ１ａ：２８°、ＴＨ１ｃ：３２°
【００３３】
なお、本実施例の角形壜体はライン上での搬送性等の点から図１あるいは図２からも判るように、ウエスト部６の上部に対して下部で相対向する側壁１１の間隔を若干広くしており（すなわち下部において、全体として長方形筒状の胴部を拡径した構成としている。）、このため図４では長辺上側壁１１Ｌａと長辺下側壁１１Ｌｃが左右にずれて示されているが、凹部上側壁１３ａによる指先の係止効果を考慮して、底深さＤ１、およびＤ２は長辺上側壁１１Ｌａを基準としてその寸法を決めている。
【００３４】
凹部１３は、略平坦な凹部底壁１３ｂと、その周囲を囲うように位置する４つの傾斜壁である、凹部上側壁１３ａ、凹部下側壁１３ｃ、左右に位置する一対の凹部左右側壁１３ｄにより形成されている。（図１、図３（ｂ）、図４参照）
凹部底壁１３ｂの下部は略円弧状で、その左右中央部はウエスト部６の下端を越えて長辺下側壁１１Ｌｃにまでその領域が拡がっている。そしてこの凹部底壁１３ｂの形状に沿って、凹部下側壁１３ｃは略円弧状に形成されており、この円弧状の形状に沿って凹部下側壁１３ｃには壁を部分的に壜体内部方向に凹ませて横溝状の補強リブ１４が形成されている。
【００３５】
また、図４の拡大縦断面図に凹部１３の左右中心位置における縦断面が示されているが、凹部上側壁１３ａは、ウエスト部上側壁６ａと同じ高さ位置から、このウエスト部上側壁６ａより急傾斜に形成されている。
本実施例において凹部１３の左右中心位置における、凹部底壁１３ｂの幅Ｗ２、深さＤ２、凹部上側壁１３ａの傾斜角度ＴＨ２ａ、凹部下側壁１３ｃの傾斜角度ＴＨ２ｃは以下のようである。
Ｗ２：１９．５ｍｍ、Ｄ２：７．６ｍｍ、ＴＨ２ａ：６４°、ＴＨ２ｃ；７０°
なお、凹部６左右方向の全横幅Ｗ３は５３ｍｍ、凹部底壁１３ｂの左右方向の横幅Ｗ４は４４ｍｍである（図３（ｂ）参照）。
【００３６】
そして、凹部１３とウエスト部６の対応する寸法、角度を比較すると、Ｗ２／Ｗ１＝２．８、Ｄ２／Ｄ１＝３．０、ＴＨ２ａ／ＴＨ１ａ＝２．３、ＴＨ２ｃ／ＴＨ１ｃ＝２．２となり、いずれも２倍以上になるようにしており、縦断面形状において、全体として凹部１３にウエスト部６を包含するように構成している。
【００３７】
本実施例の壜体１は、たとえば、一方の凹部１３に第１指の指先を、その側部を凹部上側壁１３ａに係止させた状態で嵌入状に当てて、他方の凹部１３に第２指の指先を、その側部を凹部上側壁１３ａに係止させた状態で嵌入状に当てるようにして掴持するが、凹部上側壁１３ａの傾斜角度ＴＨ２ａが十分大きいので、指先の側部を確実に係止でき、さらには凹部底壁１３ｂの深さＤ２を十分に深くし、左右中央部でその底幅Ｗ２を十分に幅広にすることにより、指先全体を十分に凹部１３に嵌入することができるので安定した掴持性が発揮される。
また、凹部下側壁１３ｃの傾斜角度ＴＨ２ｃも十分大きいので、指先を上下方向からしっかりと係止することができる。
【００３８】
以上、実施例に沿って本発明の実施の形態、およびその作用効果を説明したが、本発明は上記実施例に限定されるものではない。
たとえば、壜体について、容量は２Ｌに限定されるものではなく、またＰＥＴ樹脂製の二軸延伸ブロー成形品に限定されるものでもない。
また、凹部の断面形状をウエスト部の溝形状に対してどの程度大きくするか、あるいはその左右方向の幅をどの程度にするか等は、壜体の大きさ、外観、掴持する指の大きさ、ブロー成形性等を考慮して決めることのできる設計事項である。
【産業上の利用可能性】
【００３９】
本発明は以上説明したように、掴持性に優れ、安心して使用できる角型壜体を提供するものであり、特に大型の角型壜体の分野で幅広い用途展開が期待される。
【図面の簡単な説明】
【００４０】
【図１】本発明の壜体の第１実施例を示す全体正面図である。
【図２】図１の壜体の全体側面図である。
【図３】（ａ）は図１中のＡ−Ａ線に沿って示した平断面図、（ｂ）は図１中のＢ−Ｂ線に沿って示した平断面図である。
【図４】図１中のＣ−Ｃ線に沿って示した拡大縦断面図である。
【符号の説明】
【００４１】
１  ；壜体
２  ；口筒部
３  ；肩部
４  ；胴部
５  ；底部
６  ；ウエスト部
６ａ；ウエスト部上側壁
６ｂ；ウエスト部底壁
６ｃ；ウエスト部下側壁
１１；側壁
１１ａ、１１ｃ；上側壁、下側壁
１１Ｌ、１１Ｓ；長辺側壁、短片側壁
１１Ｌａ、１１Ｌｃ；長辺上側壁、長片下側壁
１１Ｓａ、１１Ｓｃ；短辺上側壁、短片下側壁
１２；コーナー側壁
１３；凹部
１３ａ；凹部上側壁
１３ｂ；凹部底壁
１３ｃ；凹部下側壁
１３ｄ；凹部左右側壁
１４；補強リブ
１７；減圧吸収パネル
１８；横リブ
Ｗ１、Ｗ２；（底）幅
Ｗ３；（凹部）全左右幅
Ｗ４；（凹部底壁）左右幅
Ｄ１、Ｄ２；（底）深さ
ＴＨ１（ＴＨ１ａ、ＴＨ１ｃ）；傾斜角度
ＴＨ２（ＴＨ２ａ、ＴＨ２ｃ）；傾斜角度
【図１】
2007204061.tif 000003
【図２】
2007204061.tif 000004
【図３】
2007204061.tif 000005
【図４】
2007204061.tif 000006